(57)【要約】【課題】電気抵抗が小さいうえ適用範囲も広い大電流用プローブピンを実現する。【解決手段】電気導通用の接触部１４ａが複数形成されて分散配置されている当接部材１４と、棒状の導電体からなりヘッド１１ａには当接部材１４が取り付けられテール１１ｂには電線端部１８を接続しうるプランジャ１１（進退部材）と、被検体に当接部材１４を当接させるようプランジャ１１を付勢するコイルばね１２（付勢手段）とを具え、当接部材１４の周縁部が放射状に分岐して接触部１４ａを成しており、当接部材１４の中央部が凹み１１ｃの中で留具挿通孔１４ｂに差し込んだ留め具１５にてプランジャ１１に固定され、接触部１４ａが凹み１１ｃの内周縁（１１ｄ）より外周側へ延びている。【選択図】        図１
2011137791.tif 000002
【特許請求の範囲】
【請求項１】
電気導通用の接触部が複数形成されて分散配置されている当接部材と、棒状の導電体からなり先端には前記当接部材が取り付けられており後端部には電線を接続しうる進退部材と、被検体に前記当接部材を当接させるよう前記進退部材を付勢する付勢手段とを具えた大電流用プローブピンにおいて、前記当接部材の周縁部が放射状に分岐して前記接触部を成しており、前記進退部材の先端面に凹みが形成されており、前記当接部材の中央部が前記凹みの中で前記進退部材に固定されるとともに前記当接部材の前記接触部が前記凹みから出て前記凹みの内周縁より外周側へ延びていることを特徴とする大電流用プローブピン。
【請求項２】
前記当接部材が板体を打ち抜いて形成した一体物からなることを特徴とする請求項１記載の大電流用プローブピン。
【請求項３】
前記当接部材の中央部に留具挿通孔が貫通形成されており、前記留具挿通孔に差し込まれた留め具にて前記当接部材が前記進退部材に固定されていることを特徴とする請求項１又は請求項２に記載された大電流用プローブピン。
【請求項４】
前記当接部材の前記接触部が被検体に当接していない自由状態では前記凹みの内周縁から浮いて離れていることを特徴とする請求項１乃至請求項３の何れかに記載された大電流用プローブピン。
【発明の詳細な説明】
【技術分野】
【０００１】
この発明は、プローブヘッドの先端を被検体に当接させて通電するための大電流用プローブピンに関し、詳しくは、大電流通電のため多点で接触する大電流用プローブピンに関する。
【背景技術】
【０００２】
大電流用プローブピンは、導電性のピンからなり、一本ずつ支持部材にて保持されて、先端を被検体に当接させることで、電気的な接続を確立するようになっている。
また、接触圧力を安定させるために、導電性部材からなる棒状の進退部材をコイルばね等で被検体に向けて付勢するとともに、接触部の偏在による不所望な接点溶着を防止する等のために、接触部の多数化と分散化が図られている（例えば特許文献１，２参照）。
さらに、耐久性を向上させるために、高硬度のタングステン合金などからなる当接部材を進退部材の先端部に装着することも行われている。
【０００３】
このような大電流用プローブピンを、本願発明の説明に役立つよう、図面を引用して具体的に説明する。図６は、（ａ）が従来の大電流用プローブピン６０の正面図、（ｂ）がプローブピン６０のプランジャ１１（進退部材）のヘッド１１ａ（先端部）の当接部材６１の正面図、（ｃ）がその当接部材６１の平面図、（ｄ）が支持部材１６への取り付けや電線端部の接続も済ませてプローブになった状態を一部断面で示した正面図、（ｅ）が測定状態の正面図である。
【０００４】
プローブピン６０は（図６（ａ）参照）、真鍮等の金属製で導電性のプランジャ１１（進退部材）と、プランジャ１１を遊挿しうるコイルばね１２（付勢部材）と、プランジャ１１を挿通しうる円筒状のスリーブ１３（筒状案内部材）とを具えたものであり、プランジャ１１が細長い丸棒状に形成され、スリーブ１３がプランジャ１１と摺動可能かつ軸方向移動可能に嵌合した状態で、コイルばね１２がスリーブ１３の前端とプランジャ１１のヘッド１１ａ（先端部）とを離隔させるよう押すことで、プランジャ１１が前方へ付勢されるようになっている。また、プランジャ１１の後端部はスリーブ１３から突き出ていて電線端部を接続できるようになっている。
【０００５】
さらに、ヘッド１１ａ（進退部材の先端部）の最先端には、耐久性を高めるためにプランジャ１１とは異なる材質の別部材からなる当接部材６１が取り付けられている。
当接部材６１は（図６（ｂ），（ｃ）参照）、耐摩耗性に優れたタングステン製の円板から作られ、その上面には、断面Ｖ字形の溝６１ｂを彫り込む加工がマトリクス状に即ち等ピッチで縦横に施されて、角錐状突起の接触部６１ａが多数形成されいている。そして、当接部材６１の下面側が銀鑞６２にてヘッド１１ａの先端面に鑞付けされて、当接部材６１がプランジャ１１の最先端に固定されている。
【０００６】
このようなプローブピン６０は（図６（ｄ）参照）、支持部材１６の貫通穴にスリーブ１３を圧入することで支持部材１６に保持され、プランジャ１１の後端部に電線端部を接続させることで、プローブとしての使用準備が整う。
そして、使用時には（図６（ｅ）参照）、プランジャ１１のヘッド１１ａの当接部材６１と被検体２０の表面とを当接させ、更に押し込んでコイルばね１２の弾撥力で接触圧を安定させることで接触部の電気導通状態を安定させる。
【先行技術文献】
【特許文献】
【０００７】
【特許文献１】実開昭６２−１１４３６６号公報
【特許文献２】実開昭６３−１０５８７１号公報
【発明の概要】
【発明が解決しようとする課題】
【０００８】
このように、従来の大電流用プローブピンでは、進退部材の先端部に取り付ける多点分散接触の当接部材をタングステン等から作っていた。タングステンやタングステン合金のような高硬度部材や超硬部材は、耐久性に優れていて長持ちするだけでなく、被検体の表面の汚れや酸化膜を突起状の接触部が突き破って電気導通状態の確立に寄与するという利点も持っている。
しかしながら、そのような硬い部材には、一般に、加工コストが嵩むうえ、電気抵抗が大きい、という不満がある。
【０００９】
さらに、高硬度部材や超硬部材では、電気導通の確立には利点であった硬いという性質が、変形し難いという観点からは、被検体が限定されるため適用範囲が狭いという欠点を招く。すなわち、被検体の表面が完全な平坦でなく、被検体表面のプローブピン当接部位に凹凸やうねり等があると、例えそれが僅かなものであっても、プローブピンの進退部材の先端部の当接部材において分散している多数の接触部と被検体表面との接触状態が不揃いになるため、多点分散接触が部分的であれ損なわれて、電気導通状態が安定し難くなるので、プローブピン当接部位が十分に平坦な被検体に適用が限られるのである。
【００１０】
そこで、多点分散接触用の当接部材などの形状を工夫して、電気抵抗の小さな導電性部材や良導体が使えて多点分散接触も揃って安定するように改良することにより、電気抵抗が小さいうえ適用範囲も広い大電流用プローブピンを実現することが技術的な課題となる。また、そのような大電流用プローブピンを安価に提供できるようにすることが更なる課題となる。
【課題を解決するための手段】
【００１１】
本発明の大電流用プローブピンは（解決手段１）、このような課題を解決するために創案されたものであり、電気導通用の接触部が複数形成されて分散配置されている当接部材と、棒状の導電体からなり先端には前記当接部材が取り付けられており後端部には電線を接続しうる進退部材と、被検体に前記当接部材を当接させるよう前記進退部材を付勢する付勢手段とを具えた大電流用プローブピンにおいて、前記当接部材の周縁部が放射状に分岐して前記接触部を成しており、前記進退部材の先端面に凹みが形成されており、前記当接部材の中央部が前記凹みの中で前記進退部材に固定されるとともに前記当接部材の前記接触部が前記凹みから出て前記凹みの内周縁より外周側へ延びていることを特徴とする。
【００１２】
また、本発明の大電流用プローブピンは（解決手段２）、上記解決手段１の大電流用プローブピンであって、前記当接部材が板体を打ち抜いて形成した一体物からなることを特徴とする。
【００１３】
さらに、本発明の大電流用プローブピンは（解決手段３）、上記解決手段１，２の大電流用プローブピンであって、前記当接部材の中央部に留具挿通孔が貫通形成されており、前記留具挿通孔に差し込まれた留め具にて前記当接部材が前記進退部材に固定されていることを特徴とする。
【００１４】
また、本発明の大電流用プローブピンは（解決手段４）、上記解決手段１〜３の大電流用プローブピンであって、前記当接部材の前記接触部が被検体に当接していない自由状態では前記凹みの内周縁から浮いて離れていることを特徴とする。
【発明の効果】
【００１５】
このような本発明の大電流用プローブピンにあっては（解決手段１）、当接部材の周縁部を放射状に分岐させることで接触部の多数化と分散配置を維持するとともに、多数の接触部を中央部で片持ち支持しながら連結させることで当接部材を一体化している。そのうえで、当接部材の中央部は邪魔にならないよう進退部材の先端面の凹みに収めつつ必要な固定の役目を果たさせるとともに、当接部材の接触部が凹みから出て凹みの内周縁より外周側へ延びるようにしたことにより、当接部材の接触部が、被検体に当接すると、凹みの内周縁を支承点にしてシーソーのように揺動する。
【００１６】
そして、揺動時には、当接部材の接触部の中央部寄り部分の変形によって接触圧力の変動が緩和されるので、被検体表面のプローブピン当接部位に多少の凹凸やうねりがあっても、当接部材と被検体表面との接触状態が多数の接触部について揃って安定することとなる。また、直進運動によって接触部同士が押し合うことで電気導通状態が確立されるにとどまらず、揺動によって接触部が擦れることで電気導通状態の確立が更に強化される。しかも、擦れ合いによる電気導通状態の確立には、押し合いのときほど、強い力や高い硬度が要らない。そのため、当接部材に採択可能な材質が広がるので、従来より電気抵抗の小さな部材が使用可能となる。したがって、この発明によれば、電気抵抗が小さいうえ適用範囲も広い大電流用プローブピンを実現することができる。
【００１７】
また、本発明の大電流用プローブピンにあっては（解決手段２）、当接部材の硬度を下げられるようになったことを利用して、当接部材が板体の打ち抜きにて一体形成されるようにしたことにより、電気抵抗が小さいうえ適用範囲も広い大電流用プローブピンを安価に提供することができる。
【００１８】
さらに、本発明の大電流用プローブピンにあっては（解決手段３）、当接部材の中央部の留具挿通孔に留め具を差し込むことで当接部材が進退部材に固定されるようにしたことにより、当接部材の装着作業や交換作業が容易かつ迅速に行えることとなる。
【００１９】
また、本発明の大電流用プローブピンにあっては（解決手段４）、当接部材の接触部が自由状態では凹みの内周縁から浮いて離れるようにしたことにより、個々の接触部の可動距離が浮上分だけ拡大するので、接触圧力の変動緩和の機能が強化される。
【図面の簡単な説明】
【００２０】
【図１】本発明の実施例１について、大電流用プローブピンの構造を示し、（ａ）がプローブピンの正面図、（ｂ）がその縦断面図、（ｃ）が進退部材の先端部の平面図、（ｄ）がその縦断正面図、（ｅ）が当接部材の平面図、（ｆ）がその縦断正面図、（ｇ）が支持や接続も済ませたプローブに係る一部断面視の正面図である。
【図２】（ａ）がプローブピンと被検体との当接開始時の正面図、（ｂ）がそのときの接触部と周囲の縦断面拡大図、（ｃ）がプローブピンと被検体との当接確立後の正面図、（ｄ）がそのときの接触部と周囲の縦断面拡大図である。
【図３】本発明の実施例２について、大電流用プローブピンの構造を示し、（ａ）がプローブピンの正面図、（ｂ）が進退部材の先端部の縦断正面図である。
【図４】（ａ）が支持や接続も済ませたプローブに係る一部断面視の正面図、（ｂ）がプローブピンと被検体との当接確立後の正面図である。
【図５】本発明の実施例３について、（ａ），（ｂ）何れもプローブピン等の正面図である。
【図６】従来の大電流用プローブピンを示し、（ａ）がプローブピンの正面図、（ｂ）が進退部材の先端部の当接部材の正面図、（ｃ）がその当接部材の平面図、（ｄ）が支持や接続も済ませたプローブに係る一部断面視の正面図、（ｅ）が測定状態の正面図である。
【発明を実施するための形態】
【００２１】
このような本発明の大電流用プローブピンについて、これを実施するための具体的な形態を、以下の実施例１〜３により説明する。
図１〜２に示した実施例１は、上述した解決手段１〜３（出願当初の請求項１〜３）を具現化したものであり、図３〜４に示した実施例２は、上述した解決手段４（出願当初の請求項４）を具現化したものであり、図５に示した実施例３は、その変形例である。なお、それらの図示に際し従来と同様の構成要素には同一の符号を付して示した。また、それらについて背景技術の欄で述べたことは以下の各実施例についても共通する。
【実施例１】
【００２２】
本発明の大電流用プローブピンの実施例１について、その具体的な構成を、図面を引用して説明する。図１は、（ａ）が大電流用プローブピン１０の正面図、（ｂ）がそのプローブピン１０の縦断面図、（ｃ）がプローブピン１０のプランジャ１１（進退部材）のヘッド１１ａ（先端部）の平面図、（ｄ）がその縦断正面図、（ｅ）が当接部材１４の平面図、（ｆ）がその縦断正面図、（ｇ）が支持部材１６への取り付けや電線端部１８の接続も済ませてプローブになった状態を一部断面で示した正面図である。
【００２３】
プローブピン１０は（図１（ａ），（ｂ）参照）、棒状の導電体からなり先端には当接部材が取り付けられており後端部には電線を接続しうる進退部材としてのプランジャ１１と、被検体２０に当接部材を当接させるようプランジャ１１を付勢する付勢手段としてのコイルばね１２と、プランジャ１１に外嵌されてその進退を軸方向に限定する筒状案内部材としてのスリーブ１３とを具えていて、支持部材１６の貫通穴にスリーブ１３を圧入することで支持部材１６に保持されるようになっている点で、既述した従来のプローブピン６０と同様である。プランジャ１１の先端の当接部材を被検体２０に当接させて被検体２０とプランジャ１１の後端部の接続電線との電気導通をとる点も従来同様である。
【００２４】
これに対し（図１（ａ）〜（ｇ）参照）、プランジャ１１のテール１１ｂ（後端部）に雌ねじが形成されていてそこにナット１７で電線端部１８を固定して接続するようになっている点と（図１（ｇ）参照）、プランジャ１１（進退部材）のヘッド１１ａ（先端部）の先端面に凹み１１ｃ（座繰り）が形成されている点と（図１（ｃ），（ｄ）参照）、当接部材６１に代えて新たな当接部材１４が導入された点と（図１（ａ）〜（ｄ）参照）、プランジャ１１の先端面への当接部材１４の取り付け手段が鑞付けでなく留め具１５になっている点で（図１（ａ）〜（ｄ）参照）、プローブピン１０はプローブピン６０と相違する。
【００２５】
当接部材１４は、電気導通用の接触部が複数形成されて分散配置されているという点で大電流用の基本要件を当接部材６１から引き継いでいるが、具体的な形状も材質も作り方も当接部材６１と異なっている。すなわち、当接部材１４は、厚さ一定の平板から所定形状部分をプレス等で打ち抜きながら同時に曲げ加工も施すことで作られる一体物であり、例えば２００℃以上の高温環境下で使用する場合の素材にはステンレススチール等が採用され、それほど高温でなければ導電性もバネ性も良いベリリウム銅などから作られる。
【００２６】
当接部材１４の形状は（図１（ｅ），（ｆ）参照）、花びらが離れるほど開いた花のようであり、円板からその周縁部を等ピッチ角で数箇所切り欠いて、残った周縁部が放射状に分岐して接触部１４ａを成している。接触部１４ａは、図示したのは６個であるが、同一形状や類似形状のものが等ピッチ角で放射状に分散していれば、５個以下でも良く、７個以上でも良い。当接部材１４の中央部は、一周分がまるまる平坦なまま残っていて、多数の接触部１４ａを少し傾いた片持ち状態で支持する連結部となっているが、その中心部には留具挿通孔１４ｂが貫通形成されている。この留具挿通孔１４ｂも、接触部１４ａ間の切欠も、接触部１４ａを傾ける曲げも、一回のプレス工程で加工できるものである。
【００２７】
プランジャ１１のヘッド１１ａの先端面は（図１（ｃ），（ｄ）参照）、中央に、浅い丸皿状の凹み１１ｃが彫り込み加工等にて形成されており、その周りには、細い土手のようになった一周分の周縁部が残っている。この凹み１１ｃの径は当接部材１４の外接円の径より小さくなっている。また、凹み１１ｃの中心には、留め具１５を差し込む留具挿着孔が、穿孔されている。留め具１５は、太めの頭部と細めの首下部とを具えており、首下部を留具挿通孔１４ｂに差し込んでから留具挿着孔に装着されていて、頭部で当接部材１４を押さえてプランジャ１１に固定しているものとなっている。
【００２８】
具体的な留め具１５の形状等は、図示した小ボルトのように留具挿着孔にねじ込んで装着するものでも良く、図示しないカシメピンのように留具挿着孔に打ち込んで装着するものでも良く、他の形状のものでも良いが、頭部が突き出て当接部材１４の被検体への当接を妨害することがないよう、望ましくは頭部全体が凹み１１ｃの中に収まり、少なくとも頭頂部が接触部１４ａより常に後方に位置するようになっている。
そして、留め具１５を用いた取り付けによって、当接部材１４の中央部が凹み１１ｃの中でプランジャ１１（進退部材）に固定された状態になるとともに、当接部材１４の接触部１４ａが凹み１１ｃから出て凹み１１ｃの内周縁（１１ｄ）より外周側へ延びている状態にもなっている。
【００２９】
この実施例１の大電流用プローブピン１０について、その使用態様及び動作を、図面を引用して説明する。
【００３０】
図１（ｇ）は、支持部材１６への取り付けや電線端部１８の接続も済ませてプローブピン１０からプローブが出来上がったところの正面図である。また、図２（ａ），（ｂ）は、プローブピン１０と被検体２０とが当接を開始した時の状態を示し、（ａ）が正面図、（ｂ）が接触部１４ａ，２１とその周囲とに係る縦断面拡大図である。さらに、図２（ｃ），（ｄ）は、プローブピン１０と被検体２０とが十分に押し合って接続を確立した当接後の状態を示し、（ｃ）が正面図、（ｄ）が接触部１４ａ，２１とその周囲とに係る縦断面拡大図である。
【００３１】
プローブピン１０は、先ず（図１（ｇ）参照）、支持部材１６の貫通穴にスリーブ１３（筒状案内部材）を圧入することで支持部材１６に保持され、プランジャ１１（進退部材）のテール１１ｂ（後端部）にナット１７で電線端部１８を接続させることで、プローブとしての使用準備が整う。そして、使用時には（図２参照）、プランジャ１１のヘッド１１ａ（先端部）の当接部材１４と被検体２０の表面とを当接させ（図２（ａ），（ｂ）参照）、更に押し込んでコイルばね１２の弾撥力で接触圧を安定させることで、接触部１４ａの電気導通状態を安定させる（図２（ｃ），（ｄ）参照）。
【００３２】
このように、プローブピン１０の使い方は概ね従来同様であるが、当接部材１４の形状等の相違から接触部１４ａの接触動作等は従来と異なる。すなわち、プローブピン１０が被検体２０に当接するまでは（図２（ａ），（ｂ）参照）、当接部材１４の接触部１４ａがプランジャ１１のヘッド１１ａの凹み１１ｃの土手状周縁部の上方に位置しており、接触部１４ａより少し中央寄りの部分が凹み１１ｃの内周縁１１ｄ（内周端の角）にて支承され、当接部材１４の中央部が凹み１１ｃの内底に固定されていて、接触部１４ａ及びその基部がプランジャ１１の先端面に対して平行ではなく少しだけ斜めになっているので、被検体２０の表面の接触部２１に対しても接触部１４ａは斜めの姿勢で当接する。
【００３３】
そして、当接部材１４の接触部１４ａが被検体２０の表面の接触部２１に当接してから更に押し込んでコイルばね１２の付勢力を作用させると、プランジャ１１のヘッド１１ａと被検体２０の表面との間隙が縮むとともに、接触部１４ａ及びその基部が凹み１１ｃの内周縁１１ｄを支承点にしてシーソーのように揺動する。そして、その揺動とともに、当接部材１４の接触部１４ａの中央部寄り部分が曲がり、その曲げ変形によって生じる反力が、当接部材１４の接触部１４ａと被検体２０の接触部２１とに作用する接触圧力となり、多数の接触部１４ａ，２１に係る接触圧力の総和がコイルばね１２の付勢力と釣り合うところまで、プランジャ１１と被検体２０との間隙が縮む。
【００３４】
このように、当接部材１４と被検体２０との当接に際して、全体的な接触圧力の変動がコイルばね１２の付勢力によって緩和されると同時に、各々の接触部１４ａ，２１での局所的な接触圧力の変動が当接部材１４及びその基部の弾性曲げ変形によって緩和されるので、プローブピン１０の当接部材１４の接触部１４ａの当接部位である被検体２０の表面の接触部２１のところに多少の凹凸やうねりがあっても、接触部１４ａと被検体２０の表面との接触状態が多数の接触部１４ａ，２１について揃って安定する。
【００３５】
また、当接部材１４の接触部１４ａが被検体２０の表面に押し込まれたときの相対運動のうち被検体２０の表面に垂直な方向の直進運動成分に応じて接触部１４ａ，２１同士が押し合うことでプローブピン１０と被検体２０との電気導通状態が確立されるのは、従来と同様であるが、従来と異なり、当接部材１４の接触部１４ａが揺動するため、被検体２０の表面に平行な方向の言わば擦れ合い運動の成分も少しだけとは言え存在しており、それに応じて接触部１４ａ，２１同士が擦れるので、それによってプローブピン１０と被検体２０との電気導通状態の確立が更に強化される。
【実施例２】
【００３６】
本発明の大電流用プローブピンの実施例２について、その具体的な構成を、図面を引用して説明する。図３は、（ａ）が大電流用プローブピン３０の正面図、（ｂ）がプランジャ１１（進退部材）のヘッド１１ａ（先端部）の縦断正面図である。
【００３７】
この大電流用プローブピン３０が上述した実施例１のプローブピン１０と相違するのは、スリーブ１３が省かれている点と、プランジャ１１（進退部材）にその外周面を一周する溝１１ｅが彫り込み形成されている点と、当接部材１４の接触部１４ａが被検体２０に当接していない自由状態ではヘッド１１ａの先端面の凹み１１ｃ（座繰り）の内周縁１１ｄ（支承点）から浮いて離れている点である。
【００３８】
この実施例２のプローブピン３０について、その使用態様及び動作を、図面を引用して説明する。図４は、（ａ）が支持や接続も済ませてプローブになった状態を一部断面で示した正面図、（ｂ）がプローブピン３０と被検体２０との当接確立後の正面図である。
【００３９】
この場合（図４（ａ）参照）、支持部材３１の貫通穴にプランジャ１１を挿通させてから、プランジャ１１の溝１１ｅに止め輪３２を装着することで、プローブピン３０が支持部材１６に保持され、プランジャ１１の後端面に電線端部をねじ止めすることで、プローブとしての使用準備が整う。
そして（図４（ｂ）参照）、プローブピン３０と被検体２０とが当接すると、プランジャ１１が支持部材３１の貫通穴の中で摺動しながら軸方向に移動し、それによってコイルばね１２が縮むので、その付勢力によって接触圧力が生じる。
【００４０】
当接部材１４の動作等は概ね上述したのと同様であるが、当接部材１４の接触部１４ａとヘッド１１ａの内周縁１１ｄとが自由状態では離れていることから、プローブピン３０と被検体２０とが当接したときに個々の接触部１４ａが変位しうる可動距離が拡大するので、接触部１４ａ，２１間に作用する接触圧力に対する変動緩和の機能が強化される。
また、プローブピン１０ではプランジャ１１の外周に溝加工が無いので、プローブピン１０は直径５ｍｍ以下の細形でも作りやすいのに対し、プローブピン３０ではプランジャ１１の外周に溝加工が有るので直径５ｍｍ以上の太形しか作りやすくないが、プローブピン３０はスリーブ１３を省いてコストダウンが図られている。
【実施例３】
【００４１】
図５（ａ）に正面図を示したものは、上述した大電流用プローブピン３０にスリーブ３３（筒状案内部材）を追加したものである。
これは、プランジャ１１を摺動案内する貫通穴を支持部材３１に形成するのが、困難な場合や、不向きな場合に、適している。
【００４２】
図５（ｂ）に正面図を示したのは、上述した大電流用プローブピン３０の付勢部材としてコイルばね１２に代えてエアシリンダ３４を採用したものである。
空気圧を利用すると変位によらず押し付け力がほぼ一定になるので、空気圧システムが簡便に利用できる環境に適している。
【産業上の利用可能性】
【００４３】
本発明の大電流用プローブピンは、半導体デバイスや、プリント配線板その他の回路基板などを対象とした電気的な検査や試験に利用することができる。
【符号の説明】
【００４４】
１０…プローブピン、１１…プランジャ（進退部材）、
１１ａ…ヘッド（先端部）、１１ｂ…テール（後端部）、
１１ｃ…凹み（座繰り）、１１ｄ…内周縁（支承点）、
１１ｅ…溝、１２…コイルばね（付勢部材）、
１３…スリーブ（筒状案内部材）、１４…当接部材、
１４ａ…接触部、１４ｂ…留具挿通孔、１５…留め具、
１６…支持部材、１７…ナット、１８…電線端部、
２０…被検体、２１…接触部、
３０…プローブピン、３１…支持部材、３２…止め輪、
３３…スリーブ３３（筒状案内部材）、３４…エアシリンダ、
６０…プローブピン、６１…当接部材、
６１ａ…接触部、６１ｂ…彫込溝、６２…銀鑞
【図１】
2011137791.tif 000003
【図２】
2011137791.tif 000004
【図３】
2011137791.tif 000005
【図４】
2011137791.tif 000006
【図５】
2011137791.tif 000007
【図６】
2011137791.tif 000008